(57)【要約】【課題】セルラー通信におけるセル切り替え時のピンポン現象を回避しつつ、通信品質の向上を図る。【解決手段】複数のセルの各々に対応する基地局のうち、自局が存在する在圏セルに対応する基地局との通信を行う移動局１０であって、取得部３２が、自局の走行計画を示す経路情報を取得し、変更部３４が、経路情報と、基地局に接続可能なセルの範囲を示すエリアマップとに基づいて、自局が隣接セルに侵入すると判定した場合に、通信先の基地局が、在圏セルに対応する第１の基地局から、隣接セルに対応する第２の基地局へ切り替わり易くなるように、切り替えのための判定基準を変更する。【選択図】図４
2020025195.tif 000002
【特許請求の範囲】
【請求項１】
複数のセルの各々に対応する基地局のうち、自局が存在する在圏セルに対応する基地局との通信を行う移動局（１０、２１０、３１０、４１０、５１０）であって、
前記自局の移動状況を取得する取得部（３２、２３２、３３２、４３２、５３２）と、
前記取得部により取得された移動状況と、前記在圏セル（Ｃ１）と前記在圏セルに隣接する隣接セル（Ｃ２）との位置関係とに応じて、通信先を、前記在圏セルに対応する第１の基地局（５０Ａ）から、前記隣接セルに対応する第２の基地局（５０Ｂ）へ切り替える判定に用いる判定基準を変更する変更部（３４、２３４、３３４、４３４、５３４）と、
を含む移動局。
【請求項２】
前記取得部は、前記移動状況として、前記自局の走行計画を示す経路情報を取得し、
前記変更部は、前記取得部により取得された経路情報に基づいて、前記在圏セルの圏外、かつ前記隣接セルの圏内に前記自局が侵入するか否かに応じて、前記判定基準を変更する
請求項１に記載の移動局。
【請求項３】
前記変更部は、前記取得部により取得された経路情報が、前記在圏セルの圏外、かつ前記隣接セルの圏内に前記自局が侵入することを示している場合に、予め定めた標準の前記判定基準よりも、前記通信先が前記第１の基地局から前記第２の基地局へ切り替わり易くなるように前記判定基準を変更する請求項２に記載の移動局。
【請求項４】
前記変更部は、前記取得部により取得された経路情報が、前記自局が前記在圏セルに留まることを示している場合に、予め定めた標準の前記判定基準よりも、前記通信先が前記第１の基地局から前記第２の基地局へ切り替わり難くなるように前記判定基準を変更する請求項２又は請求項３に記載の移動局。
【請求項５】
前記取得部は、前記移動状況として、前記自局の移動速度を取得し、
前記変更部は、前記取得部により取得された前記移動速度が示す、前記自局が前記在圏セルから前記隣接セルへ向かう速度に応じて、前記判定基準を変更する
請求項１〜請求項４のいずれか１項に記載の移動局。
【請求項６】
前記変更部は、前記自局が前記在圏セルから前記隣接セルへ向かう速度が速いほど、前記通信先が前記第１の基地局から前記第２の基地局へ切り替わり易くなるように前記判定基準を変更する処理、及び前記自局が前記在圏セルから前記隣接セルへ向かう速度が遅いほど、前記通信先が前記第１の基地局から前記第２の基地局へ切り替わり難くなるように前記判定基準を変更する処理の少なくとも一方の処理を行う請求項５に記載の移動局。
【請求項７】
前記取得部は、前記移動状況として、前記自局の移動方向を取得し、
前記変更部は、前記取得部により取得された前記移動方向と、前記在圏セルと前記隣接セルとの位置関係との比較に応じて、前記判定基準を変更する
請求項１〜請求項６のいずれか１項に記載の移動局。
【請求項８】
前記変更部は、前記取得部により取得された前記移動方向と、前記在圏セルに対する前記隣接セルの配置方向との一致度が高いほど、前記通信先が前記第１の基地局から前記第２の基地局へ切り替わり易くなるように前記判定基準を変更する処理、及び前記取得部により取得された前記移動方向と、前記在圏セルに対する前記隣接セルの配置方向との一致度が低いほど、前記通信先が前記第１の基地局から前記第２の基地局へ切り替わり難くなるように前記判定基準を変更する処理の少なくとも一方の処理を行う請求項７に記載の移動局。
【請求項９】
前記取得部は、さらに、前記隣接セルの通信品質を示す情報を取得し、
前記変更部は、さらに、前記取得部により取得された通信品質が高いほど、前記通信先が前記第１の基地局から前記第２の基地局へ切り替わり易くなるように前記判定基準を変更する処理、及び前記取得部により取得された通信品質が低いほど、前記通信先が前記第１の基地局から前記第２の基地局へ切り替わり難くなるように前記判定基準を変更する処理の少なくとも一方の処理を行う
請求項１〜請求項８のいずれか１項に記載の移動局。
【請求項１０】
前記取得部は、移動局間の通信、及び移動局又はサーバが予め保持している統計的情報から、前記隣接セルの通信品質を示す情報を取得する請求項９に記載の移動局。
【請求項１１】
前記変更部は、前記自局からデータを送信するタイミングにおいて、前記データのリアルタイム性及びデータ量の少なくとも一方に応じて、前記判定基準を変更する請求項１〜請求項１０のいずれか１項に記載の移動局。
【請求項１２】
前記判定基準は、前記在圏セルの電波環境値にヒステリシス値を加味した閾値を、前記隣接セルの電波環境値が超えた状態が所定時間継続した場合に、前記第１の基地局から前記第２の基地局へ前記通信先を切り替えると判定するための基準であり、
前記変更部は、前記在圏セルの電波環境値、前記ヒステリシス値、前記所定時間、及び前記隣接セルの電波環境値の少なくとも１つを増減させることにより、前記判定基準を変更する
請求項１〜請求項１１のいずれか１項に記載の移動局。
【請求項１３】
前記在圏セル及び前記隣接セルの各々についての電波環境値が、前記変更部により変更された判定基準を満たす場合に、前記第１の基地局から前記第２の基地局へ、前記通信先を切り替える切替部（３６）をさらに含む請求項１〜請求項１２のいずれか１項に記載の移動局。
【請求項１４】
複数のセルの各々に対応する基地局のうち、自局が存在する在圏セルに対応する基地局との通信を行う移動局におけるセル切替制御方法であって、
取得部が、前記自局の移動状況を取得し、
変更部が、前記取得部により取得された移動状況と、前記在圏セルと前記在圏セルに隣接する隣接セルとの位置関係とに応じて、通信先を、前記在圏セルに対応する第１の基地局から、前記隣接セルに対応する第２の基地局へ切り替える判定に用いる判定基準を変更する
セル切替制御方法。
【請求項１５】
複数のセルの各々に対応する基地局のうち、自局が存在する在圏セルに対応する基地局との通信を行う移動局を構成するコンピュータを、
前記自局の移動状況を取得する取得部と、
前記取得部により取得された移動状況と、前記在圏セルと前記在圏セルに隣接する隣接セルとの位置関係とに応じて、通信先を、前記在圏セルに対応する第１の基地局から、前記隣接セルに対応する第２の基地局へ切り替える判定に用いる判定基準を変更する変更部と
して機能させるためのセル切替制御プログラム。
【発明の詳細な説明】
【技術分野】
【０００１】
本発明は、移動局、セル切替制御方法、及びセル切替制御プログラムに関する。
【背景技術】
【０００２】
セルラー通信では、移動局が存在する在圏セルに対応する基地局、及び、その在圏セルに隣接する隣接セルに対応する基地局の各々から移動局で受信した電波の品質や強度などの指標を比較することにより、セルの切り替えが行われる。以下、この指標を「電波環境値」という。この比較において、定点にいる移動局でセルの切り替えが頻繁に生じるピンポン現象を回避するために、在圏セルでの電波環境値にヒステリシス値を加味した値を閾値として設定する。そして、隣接セルでの電波環境値がこの閾値を超えた状態が所定の待ち時間以上継続した場合に、在圏セルに対応する基地局から隣接セルに対応する基地局へ通信先を切り替える。
【０００３】
上記のようなピンポン現象の回避に着目した制御方法として、例えば、特許文献１に記載の技術が提案されている。この制御方法では、最も高い品質値の特定信号を送信している第１の基地局から受信した特定信号の品質値に第１オフセット値を加算した第１品質補正値よりも高い品質値の特定信号を送信している第２の基地局を検出する。そして、第２の基地局が第１の基地局の直前に無線通信を確立していた基地局である場合、第２の基地局からの特定信号の品質値が第１品質補正値より高い期間が、継続期間にオフセット期間を加算した第２継続期間を超えたときに、第１の基地局との無線通信から第２の基地局との無線通信に切り替えるように制御する。
【先行技術文献】
【特許文献】
【０００４】
【特許文献１】特開２０１７−２１６６４５号公報
【発明の概要】
【発明が解決しようとする課題】
【０００５】
しかしながら、特許文献１に記載の技術のように、ピンポン現象を回避するために品質値や継続期間のオフセット値を大きくすると、在圏セルより品質の良い電波を隣接セルから受信できているにも拘らず、在圏セルに在圏し続けることになる。これにより、通信品質の低下を招く場合がある。
【０００６】
本発明は、上記の問題点を鑑みてなされたものであり、セルラー通信におけるセル切り替え時のピンポン現象を回避しつつ、通信品質の向上を図ることを目的とする。
【課題を解決するための手段】
【０００７】
上記目的を達成するために、本発明に係る移動局は、複数のセルの各々に対応する基地局のうち、自局が存在する在圏セルに対応する基地局との通信を行う移動局（１０、２１０、３１０、４１０、５１０）であって、前記自局の移動状況を取得する取得部（３２、２３２、３３２、４３２、５３２）と、前記取得部により取得された移動状況と、前記在圏セル（Ｃ１）と前記在圏セルに隣接する隣接セル（Ｃ２）との位置関係とに応じて、通信先を、前記在圏セルに対応する第１の基地局（５０Ａ）から、前記隣接セルに対応する第２の基地局（５０Ｂ）へ切り替える判定に用いる判定基準を変更する変更部（３４、２３４、３３４、４３４、５３４）と、を含んで構成される。
【０００８】
また、本発明に係るセル切替制御方法は、複数のセルの各々に対応する基地局のうち、自局が存在する在圏セルに対応する基地局との通信を行う移動局におけるセル切替制御方法であって、取得部が、前記自局の移動状況を取得し、変更部が、前記取得部により取得された移動状況と、前記在圏セルと前記在圏セルに隣接する隣接セルとの位置関係とに応じて、通信先を、前記在圏セルに対応する第１の基地局から、前記隣接セルに対応する第２の基地局へ切り替える判定に用いる判定基準を変更する方法である。
【０００９】
また、本発明に係るセル切替制御プログラムは、複数のセルの各々に対応する基地局のうち、自局が存在する在圏セルに対応する基地局との通信を行う移動局を構成するコンピュータを、前記自局の移動状況を取得する取得部と、前記取得部により取得された移動状況と、前記在圏セルと前記在圏セルに隣接する隣接セルとの位置関係とに応じて、通信先を、前記在圏セルに対応する第１の基地局から、前記隣接セルに対応する第２の基地局へ切り替える判定に用いる判定基準を変更する変更部として機能させるためのプログラムである。
【発明の効果】
【００１０】
本発明に係る移動局、セル切替制御方法及びプログラムによれば、移動局の移動状況に応じて、通信先の基地局の切り替えの判定に用いる判定基準を変更する。従って、セルラー通信におけるセル切り替え時のピンポン現象を回避しつつ、通信品質の向上を図ることができる。
【図面の簡単な説明】
【００１１】
【図１】各実施形態の概要を説明するための図である。
【図２】セルの切り替えを説明するための図である。
【図３】各実施形態に係る移動局のハードウェア構成を示すブロック図である。
【図４】第１実施形態に係る移動局の機能ブロック図である。
【図５】自局が在圏セルに留まる場合の処理を説明するための図である。
【図６】第１実施形態における設定処理の一例を示すフローチャートである。
【図７】各実施形態における切替処理の一例を示すフローチャートである。
【図８】第１実施形態の変形例における設定処理の一例を示すフローチャートである。
【図９】第１実施形態の他の変形例における設定処理の一例を示すフローチャートである。
【図１０】第２実施形態に係る移動局の機能ブロック図である。
【図１１】車車間通信によって品質情報を取得する処理を説明するための図である。
【図１２】第２実施形態における設定処理の一例を示すフローチャートである。
【図１３】管理サーバから品質情報を取得する処理を説明するための図である。
【図１４】第２実施形態の変形例における設定処理の一例を示すフローチャートである。
【図１５】第３実施形態に係る移動局の機能ブロック図である。
【図１６】第３実施形態における設定処理の一例を示すフローチャートである。
【図１７】第４実施形態に係る移動局の機能ブロック図である。
【図１８】セル間の配置方向、及び移動局の移動方向を説明するための図である。
【図１９】第４実施形態における設定処理の一例を示すフローチャートである。
【図２０】第５実施形態に係る移動局の機能ブロック図である。
【図２１】第５実施形態における設定処理の一例を示すフローチャートである。
【発明を実施するための形態】
【００１２】
各実施形態の詳細を説明する前に、各実施形態の概要について説明する。
【００１３】
図１に示すように、移動局１０は車両に搭載されており、基地局５０Ａ、５０Ｂとの間で無線通信を行う。なお、移動局１０は車両に搭載される場合に限定されず、他の移動体に搭載又は保持されてもよい。
【００１４】
図１の例では、基地局５０Ａからの電波を受信可能な領域をセルＣ１、基地局５０Ｂからの電波を受信可能な領域をセルＣ２とし、両基地局５０Ａ、５０Ｂからの電波を受信可能な領域Ｒを斜線で表している。セルＣ１は、本発明の在圏セルに相当し、セルＣ２は、本発明の隣接セルに相当し、基地局５０Ａは、本発明の第１の基地局に相当し、基地局５０Ｂは、本発明の第２の基地局に相当する。
【００１５】
移動局１０は、領域Ｒにおいて、基地局５０Ａから受信した基準信号の電波環境値にヒステリシス値を加味した閾値を設定する。そして、移動局１０は、基地局５０Ｂから受信した基準信号の電波環境値が、設定した閾値を超えた状態が所定の待ち時間以上継続した場合に、通信先の基地局を、基地局５０Ａから基地局５０Ｂに切り替える。以下では、通信先の基地局を、基地局５０Ａから基地局５０Ｂに切り替えることを、セルＣ１からセルＣ２に切り替える、ともいう。
【００１６】
本実施形態では、電波環境値として、ＲＳＲＱ（Reference Signal Received Quality）を用いる場合について説明する。なお、電波環境値としては、ＲＳＲＰ（Reference Signal Received Power）など、他の指標を用いてもよい。
【００１７】
ここで、図１に示すように、移動局１０がセルＣ１からセルＣ２へ矢印Ｅの方向へ移動する場合における、領域Ｒで取得されるＲＳＲＱの一例を、図２に示す。なお、図２において、実線が基地局５０ＡのＲＳＲＱ、点線が基地局５０ＢのＲＳＲＱ、一点鎖線が閾値を表す。以下では、基地局５０ＡのＲＳＲＱを「ＲＳＲＱ１」、基地局５０ＢのＲＳＲＱを「ＲＳＲＱ２」と表記する。
【００１８】
この場合、ＲＳＲＱ２が閾値を超えるのは時間ｔ１であるため、ＲＳＲＱ２がＲＳＲＱ１を超えたｔ０からｔ１までの時間は、ＲＳＲＱ２＞ＲＳＲＱ１であるにも拘らず、移動局はセルＣ１に在圏することになる。
【００１９】
図２中のＦに示す、ＲＳＲＱ１に加味するヒステリシス値を小さくすれば、ｔ１の起動開始時間が早くなり、より良い品質のセルへの切り替えを早めることができる。しかし、ヒステリシス値を小さくし過ぎると、上述したようなピンポン現象が起こり易くなる。
【００２０】
そこで、以下の各実施形態では、移動局１０の移動状況に応じて、セル切り替えのための判定基準を変更することにより、ピンポン現象を回避しつつ、品質がより良いセルでの在圏期間が長くなるようにセルの切り替えを制御することで、通信品質の向上を図る。
【００２１】
以下、各実施形態について詳細に説明する。
【００２２】
＜第１実施形態＞
図３を参照して、第１実施形態に係る移動局１０のハードウェア構成について説明する。図３に示すように、移動局１０は、制御部１２と、アンテナ１４とを備える。制御部１２は、ＣＰＵ（Central Processing Unit）１６と、一時記憶領域としてのメモリ１８と、不揮発性の記憶部２０と、無線処理回路２２とを含む。ＣＰＵ１６、メモリ１８、記憶部２０、及び無線処理回路２２の各々は、バス２４を介して接続される。
【００２３】
記憶部２０には、後述する設定処理及び切替処理を含むセル切替制御処理を実行するためのセル切替制御プログラムが格納されている。ＣＰＵ１６は、各種プログラムを実行したり、各構成を制御したりする。すなわち、ＣＰＵ１６は、記憶部２０からプログラムを読み出し、メモリ１８を作業領域としてプログラムを実行する。メモリ１８は、ＲＡＭ（Random Access Memory）により構成され、作業領域として一時的にプログラム及びデータを記憶する。記憶部２０は、ＲＯＭ（Read Only Memory）、及びＨＤＤ（Hard Disk Drive）又はＳＳＤ（Solid State Drive）により構成され、オペレーティングシステムを含む各種プログラム、及び各種データを格納する。
【００２４】
無線処理回路２２は、アンテナ１４を介して送受信される信号を処理する回路である。具体的には、無線処理回路２２は、ＲＦ（Radio Frequency）帯の周波数の信号とベースバンド信号との間の周波数変換を行う回路、ＡＤ（Analog-Digital）変換を行う回路、及びＤＡ（Digital-Analog）変換を行う回路等を含む。
【００２５】
次に、図４を参照して、第１実施形態に係る移動局１０の機能的な構成を説明する。図４に示すように、移動局１０は、取得部３２と、変更部３４と、切替部３６とを含む。取得部３２及び変更部３４の各々は、図３に示すＣＰＵ１６によって実現され、切替部３６はＣＰＵ１６及び無線処理回路２２によって実現される。
【００２６】
取得部３２は、自局の移動状況として、自局が搭載された車両の走行計画を示す経路情報を取得する。例えば、取得部３２は、カーナビゲーションシステム等で設定された経路情報を取得する。
【００２７】
変更部３４は、取得部３２により取得された経路情報と、セルＣ１とセルＣ２との位置関係とに応じて、通信先を、基地局５０Ａから基地局５０Ｂへ切り替える際の判定基準を変更する。第１実施形態では、変更部３４は、ＲＳＲＱ１に加味するヒステリシス値を変更することにより、判定基準を変更する。
【００２８】
具体的には、変更部３４は、セルＣ１に在圏中に、セルＣ２を捕捉、すなわち、基地局５０Ｂからの基準信号を受信すると、取得部３２により取得された経路情報と、各基地局に接続可能なセルの範囲を示すエリアマップとを照合する。そして、変更部３４は、セルＣ１の圏外、かつセルＣ２の圏内に自局が侵入するか、セルＣ１に留まるかを判定する。
【００２９】
変更部３４は、図１の矢印Ｅに示すように、セルＣ１の圏外、かつセルＣ２の圏内に自局が侵入すると判定した場合、通信先が基地局５０Ａから基地局５０Ｂへ切り替わり易くなるように、ヒステリシス値を変更する。例えば、変更部３４は、ヒステリシス値ｈｙｓｔから定数αを減算したり、ヒステリシス値ｈｙｓｔに１より小さい定数αを乗算したりすることにより、閾値が低くなるように変更する。
【００３０】
一方、変更部３４は、図５の矢印Ｇに示すように、自局がセルＣ１に留まると判定した場合、通信先が基地局５０Ａから基地局５０Ｂへ切り替わり難くなるように、ヒステリシス値を変更する。例えば、変更部３４は、ヒステリシス値ｈｙｓｔに定数βを加算したり、ヒステリシス値ｈｙｓｔに１より大きい定数βを乗算したりすることにより、閾値が高くなるように変更する。
【００３１】
なお、ヒステリシス値ｈｙｓｔからαを減算する場合には、ｈｙｓｔ−αが０以上になるように制限を設けてもよい。また、セルを切り替えると判定してから、実際にセルの切り替えが完了するまでの処理時間を考慮して、ｈｙｓｔ−αがマイナスの値になることを許容してもよい。例えば、処理時間が１秒であり、図２に示すようなＲＳＲＱの値の変化が想定される場合、ｈｙｓｔ−αの値が、１秒後にＲＳＲＱ１≦ＲＳＲＱ２となることを見越したマイナスの値となるようなαを用いることができる。
【００３２】
切替部３６は、セルＣ１に在圏中、かつセルＣ２捕捉中、すなわち、領域Ｒ内において、基地局５０Ａ、５０Ｂから受信した基準信号からＲＳＲＱ１及びＲＳＲＱ２を計算する。そして、切替部３６は、計算したＲＳＲＱ１及びＲＳＲＱ２と、変更部３４で変更されたヒステリシス値ｈｙｓｔと、所定の待ち時間Ｔを用いて、セルの切り替えを制御する。具体的には、切替部３６は、ＲＳＲＱ２がＲＳＲＱ１＋ｈｙｓｔを超えた状態が待ち時間Ｔ以上継続した場合に、セルＣ１からセルＣ２へ切り替える。
【００３３】
切替部３６は、セルの切り替え後、ヒステリシス値ｈｙｓｔの値を、変更部３４が変更する前の標準の値に戻す。
【００３４】
次に、第１実施形態に係る移動局１０の作用を説明する。移動局１０の起動中に、図６に示す設定処理が繰り返し実行される。そして、移動局１０において、隣接セルＣ２が捕捉されると、図７に示す切替処理が実行される。
【００３５】
まず、図６に示す設定処理について説明する。
【００３６】
ステップＳ１２で、変更部３４が、セルＣ１に在圏中に、隣接セルであるセルＣ２を捕捉したか否かを、基地局５０Ｂからの基準信号を受信したか否かにより判定する。隣接セルを捕捉した場合には、ステップＳ１４へ移行し、捕捉していない場合には、本ステップの判定を繰り返す。
【００３７】
ステップＳ１４では、取得部３２が、自局が搭載された車両の走行計画を示す経路情報を、例えばカーナビゲーションシステム等で設定された情報から取得する。そして、変更部３４が、取得部３２により取得された経路情報と、エリアマップとを照合し、セルＣ１の圏外、かつセルＣ２の圏内に自局が侵入するか、すなわち、隣接セルに侵入するか、又は、在圏セルに留まるかを判定する。隣接セルに侵入する場合、ステップＳ１６へ移行し、在圏セルに留まる場合、ステップＳ１８へ移行する。
【００３８】
ステップＳ１６では、変更部３４が、ヒステリシス値ｈｙｓｔを、標準のヒステリシス値ｈｙｓｔから定数αを減算した値に変更し、設定処理は終了する。一方、ステップＳ１８では、変更部３４が、ヒステリシス値ｈｙｓｔを、標準のヒステリシス値ｈｙｓｔに定数βを加算した値に変更し、設定処理は終了する。
【００３９】
次に、図７に示す切替処理について説明する。
【００４０】
ステップＳ２２で、切替部３６が、隣接セルの基地局５０Ｂからの基準信号を受信しているか否かを判定することにより、隣接セルを捕捉中か否かを判定する。隣接セルを捕捉中の場合には、ステップＳ２４へ移行し、隣接セルを捕捉中ではない場合には、本ステップの判定を繰り返す。
【００４１】
ステップＳ２４では、切替部３６が、基地局５０Ａ、５０Ｂから受信した基準信号からＲＳＲＱ１及びＲＳＲＱ２を計算する。
【００４２】
次に、ステップＳ２６で、切替部３６が、計算したＲＳＲＱ１及びＲＳＲＱ２と、上記設定処理のステップＳ１６又はＳ１８で変更部３４により変更されたヒステリシス値ｈｙｓｔと、所定の待ち時間Ｔとを取得する。そして、切替部３６が、ＲＳＲＱ２がＲＳＲＱ１＋ｈｙｓｔを超えた状態で待ち時間Ｔ以上継続したか否かを判定する。継続した場合には、ステップＳ２８へ移行し、継続していない場合には、ステップＳ２２に戻る。
【００４３】
ステップＳ２８では、切替部３６が、セルＣ１から隣接セルであるセルＣ２へ切り替える。次に、ステップＳ３０で、切替部３６が、ヒステリシス値ｈｙｓｔの値を、変更部３４が変更する前の標準の値に戻し、ステップＳ２２に戻る。
【００４４】
これにより、セルＣ２が新たな在圏セルとなり、図６に示す設定処理、及び図７に示す切替処理が繰り返し実行される。
【００４５】
以上説明したように、第１実施形態に係る移動局は、移動局の経路情報に基づいて、自局が隣接セルに侵入するか、在圏セルに留まるかを判定し、隣接セルに侵入する場合には、在圏セルから隣接セルに切り替わり易くなるように、ヒステリシス値を変更する。移動局が隣接セルへ侵入する場合には、セルの重複領域の定点で移動局が留まる場合に比べ、セルの切り替えを判定する閾値を下げても、ピンポン現象が起き難い。したがって、第１実施形態に係る移動局によれば、ピンポン現象を回避しつつ、在圏セルよりも通信品質が良い隣接セルへ早期に切り替えが実行されるため、通信品質を向上することができる。
【００４６】
次に、第１実施形態の変形例について説明する。なお、変形例において、第１実施形態と同様の構成及び処理については、同一符号を付して詳細な説明を省略する。
【００４７】
第１実施形態では、判定基準の変更として、ＲＳＲＱに加味するヒステリシス値を変更する場合について説明したが、変形例では、待ち時間Ｔを変更する。この場合、移動局１０は、図６に示す設定処理に代えて、図８に示す設定処理を実行する。
【００４８】
図８のステップＳ１４で、自局が隣接セルへ侵入すると判定されると、ステップＳ３４へ移行し、変更部３４が、待ち時間Ｔを、標準の待ち時間Ｔから定数Ｔαを減算した値に変更し、設定処理は終了する。一方、ステップＳ１４で、自局が在圏セルに留まると判定されると、ステップＳ３６へ移行し、変更部３４が、待ち時間Ｔを、標準の待ち時間Ｔに定数Ｔβを加算した値に変更し、設定処理は終了する。
【００４９】
この場合、図７に示す切替処理では、ステップＳ３０で、待ち時間Ｔを標準の値に戻すようにすればよい。
【００５０】
また、別の変形例では、判定基準の変更として、隣接セルのＲＳＲＱ２を変更する。この場合、移動局１０は、図６に示す設定処理に代えて、図９に示す設定処理を実行する。
【００５１】
図９のステップＳ１４で、自局が隣接セルへ侵入すると判定されると、ステップＳ４０へ移行し、変更部３４が、ＲＳＲＱ２を、実際に受信した基準信号から計算される値よりＱα良化させた値を仮想的にＲＳＲＱ２の値とする。良化の方法は、例えば、実際のＲＳＲＱ２に定数Ｑαを加算したり、Ｑα＞１である定数Ｑαを乗算したりする方法が考えられる。一方、ステップＳ１４で、自局が在圏セルに留まると判定されると、ステップＳ４２へ移行し、変更部３４が、ＲＳＲＱ２をＱβ劣化させた値を仮想的にＲＳＲＱ２の値とする。劣化の方法は、例えば、実際のＲＳＲＱ２から定数Ｑβを減算したり、Ｑβ＜１である定数Ｑβを乗算したりする方法が考えられる。
【００５２】
なお、在圏セルのＲＳＲＱ１を変更するようにしてもよい。この場合、ステップＳ４０では、ＲＳＲＱ１を劣化させ、ステップＳ４２では、ＲＳＲＱ１を良化させるようにすればよい。また、この場合、ＲＳＲＱ１の値を用いた他の処理、例えば、受信電波の品質を表すアイコンの表示等へ影響が及ばないように、変更したＲＳＲＱ１の値は、セルの切り替えの判定のみで用いるような対処を行う。
【００５３】
また、ヒステリシス値ｈｙｓｔ、待ち時間Ｔ、ＲＳＲＱ１、及びＲＳＲＱのうちの２以上を適宜組み合わせて、判定基準を変更するようにしてもよい。
【００５４】
＜第２実施形態＞
次に、第２実施形態について説明する。なお、第２実施形態以降の実施形態において、第１実施形態と同一の符号は、同一の構成又は処理を示すものであって、先行する説明を参照する。また、第２実施形態以降の実施形態に係る移動局のハードウェア構成は、図３に示す、第１実施形態に係る移動局１０のハードウェア構成と同様であるため、説明を省略する。
【００５５】
図１０を参照して、第２実施形態に係る移動局２１０の機能的な構成を説明する。図１０に示すように、移動局２１０は、取得部２３２と、変更部２３４と、切替部３６とを含む。取得部２３２及び変更部２３４の各々は、図３に示すＣＰＵ１６によって実現される。
【００５６】
取得部２３２は、第１実施形態に係る取得部３２と同様に、自局の経路情報を取得する。取得部２３２は、さらに、隣接セルを含む近隣セルの通信品質を示す品質情報を取得する。例えば、取得部２３２は、図１１のＨに示すように、車車間通信によって他の移動局２１０から品質情報を取得する。例えば、取得部２３２は、ＩＥＥＥ８０２．１１ｐ等の通信規格に準拠した狭域通信システムの通信方式に従って車車間通信を行う。なお、図１１では、セルＣ１に在圏する移動局２１０が、セルＣ２から移動してきた移動局２１０から、セルＣ２に関する品質情報を取得する場合を示している。
【００５７】
品質情報には、例えば、どのセルに関する品質情報かを示すためのセルの識別情報、及び、そのセルで受信した基準信号から計算されたＲＳＲＱが含まれる。また、品質情報には、そのセルに対応する基地局に接続している移動局２１０の数、ＲＳＲＱ以外の電波環境値の情報など、通信品質に関する他の情報が含まれていてもよい。
【００５８】
変更部２３４は、第１実施形態に係る変更部３４と同様に、経路情報に基づいて、セル切り替えのための判定基準を変更する。変更部２３４は、さらに、自局が侵入する隣接セルについて、取得部２３２により取得された品質情報が示す通信品質が高いほど、通信先が基地局５０Ａから基地局５０Ｂへ切り替わり易くなるように判定基準を変更する。また、変更部２３４は、通信品質が低いほど、通信先が基地局５０Ａから基地局５０Ｂへ切り替わり難くなるように判定基準を変更する。ここでは、第１実施形態の場合と同様に、ＲＳＲＱ１に加味するヒステリシス値を変更することにより、判定基準を変更する場合について説明する。
【００５９】
具体的には、変更部２３４は、自局が隣接セルに侵入すると判定した場合、その隣接セルについて取得部２３２により取得されている品質情報を参照する。そして、変更部２３４は、その品質情報が、通信品質が高いことを示す条件を満たす場合、通信先が基地局５０Ａから基地局５０Ｂへ、さらに切り替わり易くなるように、ヒステリシス値を変更する。一方、変更部２３４は、品質情報が、通信品質が高いことを示す条件を満たさない場合、通信先が基地局５０Ａから基地局５０Ｂへ切り替わり難くなるように、ヒステリシス値を変更する。
【００６０】
なお、通信品質が高いことを示す条件としては、例えば、ＲＳＲＱの値が所定値以上、接続数が所定数以下等の条件を予め定めておくことができる。また、取得部２３２により、隣接セルに関する品質情報を複数取得している場合、直近で取得した品質情報の値や、それら複数の品質情報の平均の値などを用いて、隣接セルの通信品質が高いか否かを判定すればよい。
【００６１】
次に、第２実施形態に係る移動局２１０の作用を説明する。移動局２１０の起動中に、図１２に示す設定処理が繰り返し実行される。そして、移動局２１０において、隣接セルＣ２が捕捉されると、図７に示す切替処理が実行される。第２実施形態以降の実施形態における切替処理については第１実施形態と同様であるため、以下の各実施形態における作用では、設定処理についてのみ説明する。
【００６２】
図１２のステップＳ４６で、取得部２３２が、車車間通信により、他の移動局２１０から他のセルに関する品質情報を取得したか否かを判定する。品質情報を取得した場合には、ステップＳ４８へ移行し、取得部２３２が取得した品質情報を所定の記憶領域に記憶してステップＳ１２へ移行する。一方、品質情報を取得していない場合には、そのままステップＳ１２へ移行する。
【００６３】
ステップＳ１２で、変更部２３４が、隣接セルを捕捉していないと判定した場合には、ステップＳ４６に戻り、隣接セルを捕捉した場合には、ステップＳ１４へ移行し、変更部２３４が、自局が隣接セルに侵入するか、又は、在圏セルに留まるかを判定する。隣接セルに侵入する場合、ステップＳ２１６へ移行し、在圏セルに留まる場合、ステップＳ２１８へ移行する。
【００６４】
ステップＳ２１６では、変更部２３４が、ヒステリシス値ｈｙｓｔを、標準のヒステリシス値ｈｙｓｔから定数α１を減算した値に変更し、ステップＳ５０へ移行する。一方、ステップＳ２１８では、変更部２３４が、ヒステリシス値ｈｙｓｔを、標準のヒステリシス値ｈｙｓｔに定数β１を加算した値に変更し、設定処理は終了する。
【００６５】
ステップＳ５０では、変更部２３４が、所定の記憶領域に記憶された品質情報のうち、自局が侵入する隣接セルに関する品質情報を参照し、その品質情報が、通信品質が高いことを示す条件を満たすか否かを判定する。通信品質が高い場合、ステップＳ５２へ移行し、通信品質が高くない場合、ステップＳ５４へ移行する。
【００６６】
ステップＳ５２では、変更部２３４が、上記ステップＳ２１６でα１減算済みのヒステリシス値ｈｙｓｔから、さらに定数α２を減算し、設定処理は終了する。一方、ステップＳ５４では、変更部２３４が、上記ステップＳ２１６でα１減算済みのヒステリシス値ｈｙｓｔに定数β２を加算し、設定処理は終了する。
【００６７】
なお、自局が侵入する隣接セルに関する品質情報が所定の記憶領域に記憶されていない場合、上記ステップＳ５０〜Ｓ５４の処理は省略する。
【００６８】
以上説明したように、第２実施形態に係る移動局は、第１実施形態に係る移動局と同様の効果を奏する。さらに、第２実施形態に係る移動局は、車車間通信により取得した他のセルの品質情報に基づいて、侵入する隣接セルの通信品質が高い場合には、さらに、在圏セルから隣接セルへ切り替わり易くなるように判定基準を変更する。これにより、通信品質の良いセルへの切り替えが、より早い段階で行われることになるため、より通信品質を向上することができる。
【００６９】
次に、第２実施形態の変形例について説明する。なお、変形例において、第２実施形態と同様の構成及び処理については、同一符号を付して詳細な説明を省略する。
【００７０】
第２実施形態では、他のセルの品質情報を、車車間通信により、他の移動局から取得する場合について説明したが、変形例では、図１３のＩに示すように、管理サーバ５４から品質情報を取得する。管理サーバ５４では、セル毎にＲＳＲＱや接続数などの通信品質に関する情報を、統計的情報として収集し、収集した情報に基づいて、各セルについて、通信品質が高いか否かを示す品質情報を管理する。
【００７１】
この場合、移動局２１０は、図１２に示す設定処理に代えて、図１４に示す設定処理を実行する。
【００７２】
図１４のステップＳ５８で、取得部２３２が、取得した経路情報とエリアマップとに基づいて、今後侵入するセルに関する品質情報を、管理サーバ５４から取得する。そして、ステップＳ５０で、変更部２３４が、侵入する隣接セルの通信品質が高いか否かを判定する際に、ステップＳ５８で管理サーバ５４から取得した品質情報に基づいて判定する。
【００７３】
なお、管理サーバ５４から品質情報を取得するタイミングは、上記ステップＳ５８のタイミングに限定されない。例えば、ステップＳ１４で、隣接セルに侵入すると判定された際や、ステップＳ５０で通信品質が高いか否かを判定する際に、侵入する隣接セルの品質情報を管理サーバ５４から取得するようにしてもよい。
【００７４】
また、経路情報に応じた範囲に含まれるセルの品質情報を管理サーバ５４から取得する場合に限定されず、自局が移動する可能性のある所定範囲に含まれるセルの品質情報を予め管理サーバ５４から取得して、自局の所定の記憶領域に記憶しておいてもよい。この場合、品質情報を用いる際に、所定の記憶領域に記憶した品質情報から、該当のセルに関する品質情報を参照すればよい。
【００７５】
＜第３実施形態＞
次に、第３実施形態について説明する。
【００７６】
図１５を参照して、第３実施形態に係る移動局３１０の機能的な構成を説明する。図１５に示すように、移動局３１０は、取得部３３２と、変更部３３４と、切替部３６とを含む。取得部３３２及び変更部３３４の各々は、図３に示すＣＰＵ１６によって実現される。
【００７７】
取得部３３２は、自局の移動状況として、自局が搭載された車両の移動速度を取得する。例えば、取得部３３２は、車両の車速センサの出力などから、移動速度を取得する。
【００７８】
変更部３３４は、取得部３３２により取得された移動速度が示す、自局が在圏セルから隣接セルへ向かう速度に応じて、判定基準を変更する。
【００７９】
具体的には、変更部３３４は、自局が在圏セルから隣接セルへ向かう速度が速いほど、通信先が基地局５０Ａから基地局５０Ｂへ切り替わり易くなるように判定基準を変更する。また、変更部３３４は、自局が在圏セルから隣接セルへ向かう速度が遅いほど、通信先が基地局５０Ａから基地局５０Ｂへ切り替わり難くなるように判定基準を変更する。ここでは、第１実施形態の場合と同様に、ＲＳＲＱ１に加味するヒステリシス値を変更することにより、判定基準を変更する場合について説明する。
【００８０】
例えば、変更部３３４は、隣接セルを捕捉した際の移動速度Ｖを、自局が在圏セルから隣接セルへ向かう速度として取得部３３２から取得する。変更部３３４は、取得した移動速度Ｖが、予め定めた閾値ＴＨＶより速い場合には、通信先が基地局５０Ａから基地局５０Ｂへ切り替わり易くなるように、ヒステリシス値を小さい値に変更する。一方、変更部３３４は、取得した移動速度Ｖが閾値ＴＨＶ以下の場合には、通信先が基地局５０Ａから基地局５０Ｂへ切り替わり難くなるように、ヒステリシス値を大きい値に変更する。
【００８１】
次に、第３実施形態に係る移動局３１０の作用を説明する。移動局３１０の起動中に、図１６に示す設定処理が繰り返し実行される。
【００８２】
図１６のステップＳ１２で、変更部３３４が隣接セルを捕捉したと判定すると、ステップＳ４２へ移行する。ステップＳ４２では、変更部３３４が、取得部３３２により取得された移動速度Ｖが、予め定めた閾値ＴＨＶより速いか否かを判定する。Ｖ＞ＴＨＶの場合、ステップＳ１６へ移行し、Ｖ≦ＴＨＶの場合、ステップＳ１８へ移行する。
【００８３】
以上説明したように、第３実施形態に係る移動局は、自局が在圏セルから隣接セルへ向かう速度に応じて、セル切り替えのための判定基準を変更することにより、第１実施形態に係る移動局と同様の効果を奏する。
【００８４】
なお、第３実施形態において、第１実施形態のように、自局が隣接セルに侵入すると判定した場合において、移動速度に応じた判定基準の変更を行うようにしてもよい。
【００８５】
＜第４実施形態＞
次に、第４実施形態について説明する。
【００８６】
図１７を参照して、第４実施形態に係る移動局４１０の機能的な構成を説明する。図１７に示すように、移動局４１０は、取得部４３２と、変更部４３４と、切替部３６とを含む。取得部４３２及び変更部４３４の各々は、図３に示すＣＰＵ１６によって実現される。
【００８７】
取得部４３２は、自局の移動状況として、自局の移動方向を取得する。例えば、取得部４３２は、車両に搭載されたコンパスやＧＰＳ（Global Positioning System）などから、移動方向を取得する。
【００８８】
変更部４３４は、取得部４３２により取得された自局の移動方向と、在圏セルと隣接セルとの位置関係との比較に応じて、セル切り替えのための判定基準を変更する。具体的には、変更部４３４は、移動方向と、在圏セルに対する隣接セルの方向との一致度が高いほど、通信先が基地局５０Ａから基地局５０Ｂへ切り替わり易くなるように判定基準を変更する。また、変更部４３４は、移動方向と、在圏セルに対する隣接セルの方向との一致度が低いほど、通信先が基地局５０Ａから基地局５０Ｂへ切り替わり難くなるように判定基準を変更する。
【００８９】
例えば、変更部４３４は、各基地局に接続可能なセルの範囲を示すエリアマップに基づいて、図１８の破線矢印Ｊに示すように、セルＣ１に対するセルＣ２の配置方向を特定し、これを水平方向とする。隣接セルを捕捉した際に、図１８の矢印Ｋに示すように、移動方向が水平方向に近い場合には、移動局４１０は、隣接セルへ侵入する可能性が高い。一方、図１８の矢印Ｌに示すように、移動方向が垂直方向に近い場合には、移動局４１０は、隣接セルへ侵入しない、又はしばらくは在圏セルに留まる可能性が高い。
【００９０】
そこで、変更部４３４は、セル間の配置方向を基準とした移動方向の向きＤを算出する。向きＤは、図１８に示すように、セル間の配置方向と移動局４１０の移動方向とのなす角の角度である。この向きＤが水平に近いことを表す閾値ＴＨＤ１より小さい場合には、通信先が基地局５０Ａから基地局５０Ｂへ切り替わり易くなるように、ヒステリシス値を小さい値に変更する。一方、向きＤが垂直に近いことを表す閾値ＴＨＤ２より大きい場合には、通信先が基地局５０Ａから基地局５０Ｂへ切り替わり難くなるように、ヒステリシス値を大きい値に変更する。
【００９１】
次に、第４実施形態に係る移動局４１０の作用を説明する。移動局４１０の起動中に、図１９に示す設定処理が繰り返し実行される。
【００９２】
図１９のステップＳ１２で、変更部４３４が隣接セルとしてセルＣ２を捕捉したと判定すると、ステップＳ６２へ移行する。ステップＳ６２では、変更部４３４が、エリアマップに基づいて、セルＣ１に対するセルＣ２の配置方向を水平方向として特定する。そして、変更部４３４が、セル間の配置方向を基準とした移動方向の向きＤを算出する。
【００９３】
次に、ステップＳ６４で、変更部４３４が、算出した向きＤが閾値ＴＨＤ１より小さいか否かを判定することにより、移動方向が水平方向に近いか否かを判定する。水平方向に近い場合には、ステップＳ１６へ移行し、水平方向に近くない場合には、ステップＳ６６へ移行する。
【００９４】
ステップＳ６６では、変更部４３４が、算出した向きＤが閾値ＴＨＤ２より大きいか否かを判定することにより、移動方向が垂直方向に近いか否かを判定する。垂直方向に近い場合には、ステップＳ１８へ移行し、垂直方向に近くない場合には、設定処理を終了する。
【００９５】
以上説明したように、第４実施形態に係る移動局は、自局の移動方向と、在圏セルに対する隣接セルの配置方向との比較に応じて、セル切り替えのための判定基準を変更することにより、第１実施形態に係る移動局と同様の効果を奏する。
【００９６】
＜第５実施形態＞
次に、第５実施形態について説明する。
【００９７】
図２０を参照して、第５実施形態に係る移動局５１０の機能的な構成を説明する。図２０に示すように、移動局５１０は、取得部５３２と、変更部５３４と、切替部３６とを含む。取得部５３２及び変更部５３４の各々は、図３に示すＣＰＵ１６によって実現される。
【００９８】
取得部５３２は、第１実施形態に係る取得部３２と同様に、自局の経路情報を取得する。取得部５３２は、さらに、移動局５１０や移動局５１０と通信可能な外部装置上で動作するアプリケーション等により発生した送信データに関する送信データ情報を取得する。送信データ情報には、例えば、送信データのデータ量や、送信データがリアルタイム性を有するデータか否か等の情報が含まれる。
【００９９】
変更部５３４は、第１実施形態に係る変更部３４と同様に、経路情報に基づいて、セル切り替えのための判定基準を変更する。変更部５３４は、さらに、取得部５３２により送信データ情報が取得された場合には、送信データのリアルタイム性及びデータ量の少なくとも一方に応じて、セル切り替えのための判定基準を変更する。ここでは、第１実施形態の場合と同様に、ＲＳＲＱ１に加味するヒステリシス値を変更することにより、判定基準を変更する場合について説明する。
【０１００】
具体的には、変更部５３４は、送信データがリアルタイム性を有する場合や、データ量が所定値以上の場合などの予め定めた条件を満たす場合に、データ送信の即時性が要求されるデータであると判断する。そして、変更部５３４は、通信先が基地局５０Ａから基地局５０Ｂに、より切り替わり易くなるように、ヒステリシス値を変更する。例えば、変更部５３４は、ＲＳＲＱ２がＲＳＲＱ１を上回ったらすぐに通信先が切り替わるように、ヒステリシス値ｈｙｓｔを０に変更することができる。
【０１０１】
次に、第５実施形態に係る移動局２１０の作用を説明する。移動局５１０の起動中に、図２１に示す設定処理が繰り返し実行される。
【０１０２】
図２１のステップＳ１２〜Ｓ１６を経て、次のステップＳ７０で、変更部５３４が、取得部５３２が取得した送信データ情報に基づいて、データ送信の即時性が要求されるデータの送信タイミングか否かを判定する。送信タイミングの場合には、ステップＳ７２へ移行し、変更部５３４が、例えば、ヒステリシス値ｈｙｓｔを０に変更し、設定処理を終了する。
【０１０３】
なお、ステップＳ１４で、隣接セルへ侵入しないと判定され、ステップＳ１８へ移行した場合には、データ送信の即時性が要求されるデータの送信タイミングか否かにかかわらず、さらなるヒステリシス値の変更は行わない。
【０１０４】
以上説明したように、第５実施形態に係る移動局は、第１実施形態に係る移動局と同様の効果を奏する。さらに、第５実施形態に係る移動局は、データ送信の即時性が要求されるデータの送信タイミングにおいて、さらに、在圏セルから隣接セルへ切り替わり易くなるように判定基準を変更する。これにより、通信品質の良いセルへの切り替えが、より早い段階で行われることになるため、データ送信の即時性が要求されるデータの送信の確実性が向上する。
【０１０５】
なお、第５実施形態では、図２１に示す設定処理のステップＳ７２で、ヒステリシス値ｈｙｓｔを０にする場合について説明したが、これに限定されない。例えば、０以上の比較的小さい値としてもよいし、上述したように、セル切り替えの処理時間を考慮して、閾値がマイナスとなる値を設定してもよい。
【０１０６】
また、上記各実施形態では、ヒステリシス値に減算又は加算する値として定数を用いる場合について説明したが、加減算する値を可変としてもよい。例えば、第２実施形態の場合、通信品質の高低を複数段階のレベルで定め、加減算する値をレベルに応じて可変とすることができる。また、第３実施形態では、加減算する値を移動速度に比例した値にするなどにより、可変とすることができる。また、第４実施形態では、加減算する値を向きＤに比例した値にするなどにより、可変とすることができる。
【０１０７】
また、上記各実施形態では、ヒステリシス値を小さい値に変更する場合もあれば、大きい値に変更する場合もある例について説明したが、これに限定されない。例えば、標準のヒステリシス値ｈｙｓｔを予め高めに設定しておき、移動局が隣接セルへ侵入する場合、品質情報が示す通信品質が高い場合、移動速度が速い場合、移動方向が水平方向に近い場合などには、ヒステリシス値を小さい値に変更する処理を実行する。そして、これらに該当しない場合には、ヒステリシス値を変更することなく、設定処理を終了するようにしてもよい。また、例えば、標準のヒステリシス値ｈｙｓｔを予め低めに設定しておき、自局が在圏セルに留まる場合、品質情報が示す通信品質が低い場合、移動速度が遅い場合、移動方向が垂直方向に近い場合などには、ヒステリシス値を大きい値に変更する処理を実行する。そして、これらに該当しない場合には、ヒステリシス値を変更することなく、設定処理を終了するようにしてもよい。
【０１０８】
また、上記第２〜第５実施形態において、第１実施形態の変形例と同様に、ヒステリシス値の変更に代えて、待ち時間Ｔ、ＲＳＲＱ１、及びＲＳＲＱ２を変更するようにしてもよい。
【０１０９】
また、上記各実施形態における判定基準の変更を適宜組み合わせて実行してもよい。例えば、第１実施形態と第３実施形態とを組み合わせて、自局が隣接セルに侵入する場合であって、かつ移動速度が速い場合には、さらにヒステリシス値を小さい値に変更するような形態としてもよい。また、例えば、第４実施形態と第５実施形態とを組み合わせて、移動方向が水平方向に近い場合で、かつデータ送信の即時性が要求されるデータの送信タイミングの場合に、さらにヒステリシス値を小さい値に変更するような形態としてもよい。
【０１１０】
各実施形態の組み合わせの形態は上記の例に限定されず、例えば、全ての実施形態における判定基準の変更を適宜組み合わせて実行することも可能である。この場合、例えば、各実施形態においてヒステリシス値に加減算する値の和、重み付き和、平均等を、最終的にヒステリシス値に加減算する値として用いることができる。
【０１１１】
また、上記各実施形態でＣＰＵがソフトウェア（プログラム）を読み込んで実行したセル切替制御処理を、ＣＰＵ以外の各種のプロセッサが実行してもよい。この場合のプロセッサとしては、ＦＰＧＡ（Field-Programmable Gate Array）等の製造後に回路構成を変更可能なＰＬＤ（Programmable Logic Device）、及びＡＳＩＣ（Application Specific Integrated Circuit）等の特定の処理を実行させるために専用に設計された回路構成を有するプロセッサである専用電気回路等が例示される。また、セル切替制御処理を、これらの各種のプロセッサのうちの１つで実行してもよいし、同種又は異種の２つ以上のプロセッサの組み合わせ（例えば、複数のＦＰＧＡ、及びＣＰＵとＦＰＧＡとの組み合わせ等）で実行してもよい。また、これらの各種のプロセッサのハードウェア的な構造は、より具体的には、半導体素子等の回路素子を組み合わせた電気回路である。
【０１１２】
また、上記各実施形態では、セル切替制御プログラムが記憶部に予め記憶（インストール）されている態様を説明したが、これに限定されない。プログラムは、ＣＤ−ＲＯＭ（Compact Disk Read Only Memory）、ＤＶＤ−ＲＯＭ（Digital Versatile Disk Read Only Memory）、ＵＳＢ（Universal Serial Bus）メモリ等の非遷移的実体的記録媒体（non-transitory tangible storage medium）に記録された形態で提供されてもよい。また、プログラムは、ネットワークを介して外部装置からダウンロードされる形態としてもよい。
【符号の説明】
【０１１３】
１０、２１０、３１０、４１０、５１０      移動局
１６   ＣＰＵ
１８   メモリ
２０   記憶部
２２   無線処理回路
３２、２３２、３３２、４３２、５３２      取得部
３４、２３４、３３４、４３４、５３４      変更部
３６   切替部
５０Ａ、５０Ｂ       基地局
【図１】
2020025195.tif 000003
【図２】
2020025195.tif 000004
【図３】
2020025195.tif 000005
【図４】
2020025195.tif 000006
【図５】
2020025195.tif 000007
【図６】
2020025195.tif 000008
【図７】
2020025195.tif 000009
【図８】
2020025195.tif 000010
【図９】
2020025195.tif 000011
【図１０】
2020025195.tif 000012
【図１１】
2020025195.tif 000013
【図１２】
2020025195.tif 000014
【図１３】
2020025195.tif 000015
【図１４】
2020025195.tif 000016
【図１５】
2020025195.tif 000017
【図１６】
2020025195.tif 000018
【図１７】
2020025195.tif 000019
【図１８】
2020025195.tif 000020
【図１９】
2020025195.tif 000021
【図２０】
2020025195.tif 000022
【図２１】
2020025195.tif 000023